(57)【要約】  本明細書で開示する主題は、少なくとも部分的にはロケーションによって識別可能な関心ポイントにおける選択に応じられる項目メニューに列挙される1つまたは複数の項目のキャプチャされた画像を、モバイルデバイスのカメラビューに表示するステップを含む方法に関する。方法は、1つまたは複数の項目の解析されたテキストおよびロケーションを表す情報を含むメッセージを送信するステップと、メッセージの送信に応答して、カメラビューに表示されるべき注釈を受信するステップとをさらに含み得る。
2014529249.tif 000002
【特許請求の範囲】
【請求項１】
少なくとも部分的にはロケーションによって識別可能な関心ポイントにおける選択に応じられる項目メニューに列挙される1つまたは複数の項目のキャプチャされた画像を、モバイルデバイスのカメラビューに表示するステップと、
前記1つまたは複数の項目の解析されたテキストおよび前記ロケーションを表す情報を含むメッセージを送信するステップと、
前記メッセージの前記送信に応答して、前記カメラビューに表示されるべき注釈を受信するステップとを含む方法。
【請求項２】
前記注釈が前記1つまたは複数の項目の購入価格を含む、請求項1に記載の方法。
【請求項３】
前記注釈が前記1つまたは複数の項目のレーティングを含む、請求項1に記載の方法。
【請求項４】
前記注釈が前記1つまたは複数の項目の1つまたは複数の画像を含む、請求項1に記載の方法。
【請求項５】
前記注釈が、前記1つまたは複数の項目の前記キャプチャされた画像を含む前記カメラビューの一部分に重ねられる、請求項1に記載の方法。
【請求項６】
前記ロケーションを表す前記情報がロケーションコンテキスト識別子(LCI)を含む、請求項1に記載の方法。
【請求項７】
前記関心ポイントがレストランを含む、請求項1に記載の方法。
【請求項８】
少なくとも部分的にはロケーションによって識別可能な関心ポイントにおける選択に応じられる項目メニューに列挙される1つまたは複数の項目のキャプチャされた画像を、モバイルデバイスのカメラビューに表示するための手段と、
前記1つまたは複数の項目の解析されたテキストおよび前記ロケーションを表す情報を含むメッセージを送信するための手段と、
前記メッセージの前記送信に応答して、前記カメラビューに表示されるべき注釈を受信するための手段とを備える装置。
【請求項９】
前記注釈が前記1つまたは複数の項目の購入価格を含む、請求項8に記載の装置。
【請求項１０】
前記注釈が前記1つまたは複数の項目のレーティングを含む、請求項8に記載の装置。
【請求項１１】
前記注釈が、前記1つまたは複数の項目の前記キャプチャされた画像を含む前記カメラビューの一部分に重ねられる、請求項8に記載の装置。
【請求項１２】
前記ロケーションを表す前記情報がロケーションコンテキスト識別子(LCI)を含む、請求項8に記載の装置。
【請求項１３】
前記関心ポイントがレストランを含む、請求項8に記載の装置。
【請求項１４】
少なくとも部分的にはロケーションによって識別可能な関心ポイントにおける選択に応じられる項目メニューに列挙される1つまたは複数の項目のキャプチャされた画像のカメラビューをディスプレイデバイスに提供するように構成されたプロセッサと、
前記1つまたは複数の項目の解析されたテキストおよび前記ロケーションを表す情報を含むメッセージを送信するように構成された送信機と、
前記メッセージの前記送信に応答して、前記カメラビューに表示されるべき注釈を受信するように構成された受信機とを備える装置。
【請求項１５】
前記注釈が前記1つまたは複数の項目の購入価格を含む、請求項14に記載の装置。
【請求項１６】
前記注釈が前記1つまたは複数の項目のレーティングを含む、請求項14に記載の装置。
【請求項１７】
前記注釈が前記1つまたは複数の項目の1つまたは複数の画像を含む、請求項14に記載の装置。
【請求項１８】
前記注釈が、前記1つまたは複数の項目の前記キャプチャされた画像を含む前記カメラビューの一部分に重ねられる、請求項14に記載の装置。
【請求項１９】
前記ロケーションを表す前記情報がロケーションコンテキスト識別子(LCI)を含む、請求項14に記載の装置。
【請求項２０】
前記関心ポイントがレストランを含む、請求項14に記載の装置。
【請求項２１】
モバイルデバイスのカメラにおいて、関心ポイントにおける選択に応じられるメニュー項目を列挙するメニューの画像をキャプチャするステップと、
前記メニューの前記キャプチャされた画像を、前記モバイルデバイスのディスプレイデバイスに表示するステップと、
前記表示画像中のテキストを解析して、前記表示されるメニュー項目のうちの少なくとも1つのメニュー項目を識別するステップと、
前記モバイルデバイスのロケーションおよび前記解析されたテキストを、顧客に提示される前記メニュー項目のあらかじめキャプチャされた画像に関連付けるステップとを含む方法。
【請求項２２】
前記モバイルデバイスの前記ロケーションが、少なくとも部分的にはロケーションコンテキスト識別子(LCI)によって識別可能な前記関心ポイントにあり、前記モバイルデバイスの前記ロケーションおよび前記解析されたテキストを、前記あらかじめキャプチャされた画像に関連付ける前記ステップが、
前記解析されたテキストおよび前記LCIをリモートサーバに送信するステップと、
前記解析されたテキストおよび前記LCIを送信する前記ステップに応答して、前記あらかじめキャプチャされた画像を受信するステップとをさらに含む、請求項21に記載の方法。
【請求項２３】
前記解析されたテキストおよび前記LCIを送信する前記ステップに応答して、前記メニュー項目の以前の購入者によって提供されるオーディオコンテンツを受信するステップをさらに含む、請求項22に記載の方法。
【請求項２４】
テキストを解析する前記ステップが、前記モバイルデバイスのユーザインターフェースにおける前記テキストの選択に応答する、請求項21に記載の方法。
【請求項２５】
前記関心ポイントがレストランを含む、請求項21に記載の方法。
【請求項２６】
前記少なくとも1つのメニュー項目の修正価格を前記モバイルデバイスの前記ディスプレイデバイスに表示するステップをさらに含む、請求項21に記載の方法。
【請求項２７】
前記修正価格が、前記メニューの前記画像上の元の価格に重ねられる、請求項26に記載の方法。
【請求項２８】
前記修正価格が、前記顧客のプロファイルおよび/またはロイヤルティに少なくとも部分的に基づく、請求項26に記載の方法。
【請求項２９】
モバイルデバイスのカメラにおいて、関心ポイントにおける選択に応じられるメニュー項目を列挙するメニューの画像をキャプチャするための手段と、
前記メニューの前記キャプチャされた画像を、前記モバイルデバイスのディスプレイデバイスに表示するための手段と、
前記表示画像中のテキストを解析して、前記表示されるメニュー項目のうちの少なくとも1つのメニュー項目を識別するための手段と、
前記モバイルデバイスのロケーションおよび前記解析されたテキストを、顧客に提示される前記メニュー項目のあらかじめキャプチャされた画像に関連付けるための手段とを備える装置。
【請求項３０】
前記モバイルデバイスの前記ロケーションが、少なくとも部分的にはロケーションコンテキスト識別子(LCI)によって識別可能な前記関心ポイントにあり、前記モバイルデバイスの前記ロケーションおよび前記解析されたテキストを、前記あらかじめキャプチャされた画像に関連付けるための前記手段が、
前記解析されたテキストおよび前記LCIをリモートサーバに送信するための手段と、
前記解析されたテキストおよび前記LCIの送信に応答して、前記あらかじめキャプチャされた画像を受信するための手段とをさらに含む、請求項29に記載の装置。
【請求項３１】
前記解析されたテキストおよび前記LCIの送信に応答して、前記メニュー項目の以前の購入者によって提供されたオーディオコンテンツを受信するための手段をさらに含む、請求項30に記載の装置。
【請求項３２】
テキストを解析するための前記手段が、前記モバイルデバイスのユーザインターフェースにおける前記テキストの選択に応答する、請求項29に記載の装置。
【請求項３３】
前記関心ポイントがレストランを含む、請求項29に記載の装置。
【請求項３４】
メニューのキャプチャされた画像を表示するように構成された、モバイルデバイスのディスプレイと、
前記メニューの前記表示画像に表示されるテキストの選択を受信するように構成されたユーザインターフェースと、
前記テキストの前記選択に応答して、前記テキストを解析して、前記メニューの少なくとも1つのメニュー項目を識別するように構成されたプロセッサであって、前記モバイルデバイスのロケーションおよび前記解析されたテキストを、顧客に提示される前記メニュー項目のあらかじめキャプチャされた画像に関連付けることが可能なプロセッサとを備える装置。
【請求項３５】
前記解析されたテキストおよび事業所のロケーションコンテキスト識別子(LCI)をリモートサーバに送信するための送信機と、
前記解析されたテキストおよび前記LCIの送信に応答して、前記あらかじめキャプチャされた画像を受信するための受信機とをさらに備える、請求項34に記載の装置。
【請求項３６】
前記受信機が、前記解析されたテキストおよび前記LCIの前記送信に応答して、前記メニュー項目の以前の購入者によって提供されたオーディオコンテンツを受信することが可能である、請求項35に記載の装置。
【請求項３７】
非一時的記憶媒体であって、前記非一時的記憶媒体が、
メニュー項目が選択に応じられるロケーションにおいて選択に応じられるメニュー項目の一覧を含む、カメラからの画像の信号を処理し、
前記キャプチャされた画像をモバイルデバイスのディスプレイデバイスに表示するように信号を処理し、
前記表示画像中のテキストを解析して、前記表示されるメニュー項目のうちの少なくとも1つのメニュー項目を識別し、
前記ロケーションおよび前記解析されたテキストを、顧客に提示される前記メニュー項目のあらかじめキャプチャされた画像に関連付けるように構成された専用コンピューティングデバイスによって実行可能である機械可読命令を記憶する、非一時的記憶媒体。
【請求項３８】
前記ロケーションが、少なくとも部分的にはロケーションコンテキスト識別子(LCI)によって識別可能な事業所にある、請求項37に記載の非一時的記憶媒体。
【請求項３９】
前記非一時的記憶媒体が、
前記解析されたテキストおよびロケーションコンテキスト識別子(LCI)をリモートサーバに送信し、
前記解析されたテキストおよび前記LCIの送信に応答して、前記あらかじめキャプチャされた画像を受信するようにさらに構成された前記専用コンピューティングデバイスによって実行可能である前記機械可読命令を記憶する、請求項37に記載の非一時的記憶媒体。
【発明の詳細な説明】
【技術分野】
【０００１】
本明細書で開示する主題は、ハンドヘルドモバイルデバイスの画像キャプチャデバイスを使用してターゲットオブジェクトに関する情報を捕捉することに関する。
【背景技術】
【０００２】
レストランまたは他の飲食施設では、利用者は、しばしば項目およびその価格が記述された、購入に応じられる項目を列挙する、印刷媒体上のメニューから項目を注文することができる。印刷されたメニューにおける購入用の項目の説明および/または接客係(偏りがあり、もしくは不正確な場合がある)によって提供され得る説明以外に、利用者は、メニュー項目に関する付加情報を、たとえば、新聞もしくはブログにおいて、または口頭で与えられるレストランレビューから得ることもできる。ただし、レストラン利用者は、購入に応じられる項目の客観説明および/または批評をリアルタイムで(たとえば、レストランにいる間に)取得するのが困難な場合がある。
【０００３】
モバイルデバイスまたは物理的施設のロケーションをグローバル座標(たとえば、衛星測位システムを使う位置フィックスから取得される)で識別するのに加え、位置情報サービスは、エリアまたはナビゲート可能領域をロケーションコンテキスト識別子(LCI)に関連付けることができる。特定の例では、LCIが、ほんの数例を挙げると、オフィスビル、モール内の店舗、またはレストランのフロアもしくは翼棟を識別することができる。1つの特定のアプリケーションでは、LCIは、LCIによって定義される関連エリアまたは領域に関する(たとえば、ワイヤレス通信リンクを介した、リモートサーバへの要求メッセージ中で)情報を取得するための「ハンドル」として使うことができる。そのような情報は、たとえば、ほんの数例を挙げると、屋内測位において使用するためのアクセスポイントのロケーションなど、ナビゲーションマップおよび/または他のナビゲーション支援データを含み得る。
【発明の概要】
【課題を解決するための手段】
【０００４】
ある実装形態では、方法が、少なくとも部分的にはロケーションによって識別可能な関心ポイントにおける選択に応じられる項目メニューに列挙される1つまたは複数の項目のキャプチャされた画像を、モバイルデバイスのカメラビューに表示するステップを含み得る。この方法は、1つまたは複数の項目の解析されたテキストおよびロケーションを表す情報を含むメッセージを送信するステップと、メッセージの送信に応答して、カメラビューに表示されるべき注釈を受信するステップとをさらに含み得る。別の実装形態では、装置が、少なくとも部分的にはロケーションによって識別可能な関心ポイントにおける選択に応じられる項目メニューに列挙される1つまたは複数の項目のキャプチャされた画像を、モバイルデバイスのカメラビューに表示するための手段と、1つまたは複数の項目の解析されたテキストおよびロケーションを表す情報を含むメッセージを送信するための手段と、メッセージの送信に応答して、カメラビューに表示されるべき注釈を受信するための手段とを備え得る。さらに別の実装形態では、装置が、少なくとも部分的にはロケーションによって識別可能な関心ポイントにおける選択に応じられる項目メニューに列挙される1つまたは複数の項目のキャプチャされた画像のカメラビューをディスプレイデバイスに提供するためのプロセッサと、1つまたは複数の項目の解析されたテキストおよびロケーションを表す情報を含むメッセージを送信するための送信機と、メッセージの送信に応答して、カメラビューに表示されるべき注釈を受信するための受信機とを備え得る。さらに別の実装形態では、モバイルデバイスのカメラにおいて実施される方法が、関心ポイントにおける選択に応じられるメニュー項目を列挙するメニューの画像をキャプチャするステップと、メニューのキャプチャされた画像をモバイルデバイスのディスプレイデバイスに表示するステップと、表示画像中のテキストを解析して、表示されるメニュー項目のうちの少なくとも1つのメニュー項目を識別するステップと、モバイルデバイスのロケーションおよび解析されたテキストを、顧客に提示されるメニュー項目のあらかじめキャプチャされた画像に関連付けるステップとを含み得る。さらに別の実装形態では、装置が、関心ポイントにおける選択に応じられるメニュー項目を列挙するメニューの画像をキャプチャするための手段と、メニューのキャプチャされた画像をモバイルデバイスのディスプレイデバイスに表示するための手段と、表示画像中のテキストを解析して、表示されるメニュー項目のうちの少なくとも1つのメニュー項目を識別するための手段と、モバイルデバイスのロケーションおよび解析されたテキストを、顧客に提示されるメニュー項目のあらかじめキャプチャされた画像に関連付けるための手段とを備え得る。さらに別の実装形態では、装置が、メニューのキャプチャされた画像を表示するためのモバイルデバイスのディスプレイと、メニューの表示画像に表示されるテキストの選択を受信するためのユーザインターフェースと、テキストの選択に応答して、テキストを解析して、表示されるメニューの少なくとも1つのメニュー項目を識別するためのプロセッサとを備えることができ、プロセッサは、モバイルデバイスのロケーションおよび解析されたテキストを、顧客に提示されるメニュー項目のあらかじめキャプチャされた画像に関連付けることが可能である。さらに別の実装形態では、非一時的記憶媒体を備える物品が、専用コンピューティングデバイスによって実行されたに応答して、専用コンピューティングデバイスが、メニュー項目が選択に応じられるロケーションにおいて選択に応じられるメニュー項目の一覧を含む、カメラからの画像の信号を処理し、キャプチャされた画像をモバイルデバイスのディスプレイデバイスに表示するように信号を処理し、表示画像中のテキストを解析して、表示されるメニュー項目のうちの少なくとも1つのメニュー項目を識別し、ロケーションおよび解析されたテキストを、顧客に提示されるメニュー項目のあらかじめキャプチャされた画像に関連付けることを可能にするように適合された、記憶媒体を記憶した機械可読命令を含み得る。ただし、これらは、例示の目的で挙げられる例示的な実装形態にすぎず、特許請求する主題はこれらの点について限定されないことを理解されたい。
【０００５】
非限定的かつ非網羅的な特徴について、以下の図を参照しながら説明する。様々な図を通じて同じ参照番号は同じ部分を指す。
【図面の簡単な説明】
【０００６】
【図１】モバイルデバイスを伴う通信経路の実装形態を示す概略図である。
【図２】ある実装形態による、選択されたメニュー項目を含むメニューの一部分を示す図である。
【図３】ある実装形態による、選択されたメニュー項目の画像を含むメニューの一部分を示す図である。
【図４】ある実装形態による、メニュー項目についてのレーティングを含むメニューの一部分を示す図である。
【図５】ある実装形態による、メニュー項目の注釈を表示するためのプロセスを示す流れ図である。
【図６】ある実装形態による、メニュー項目の画像を表示するためのプロセスを示す流れ図である。
【図７】ある実装形態による、メニュー項目についての情報を収集するためのプロセスを示す流れ図である。
【図８】ある実装形態による、画像をキャプチャおよび表示し、ワイヤレスネットワークと通信することが可能なモバイルデバイスの概略図である。
【発明を実施するための形態】
【０００７】
本明細書全体を通した「1つの例(一例)」、「1つの特徴」、「例」または「特徴」への言及は、特徴および/または例に関して説明する特定の特徴、構造または特性が、特許請求する主題の少なくとも1つの特徴および/または例に含まれることを意味する。したがって、本明細書全体にわたる様々な箇所において「一例では」、「例」、「1つの特徴では」または「特徴」という句が記載されている場合、必ずしもすべてが同じ特徴および/または例を指すわけではない。さらに、特定の特徴、構造物または特性を1つまたは複数の例および/または特徴において組み合わせることができる。
【０００８】
本明細書に記載する実装形態は、モバイルデバイス(MD)を使って、メニューの項目に関する情報を取得することを含む。メニューは、選択に応じられる項目のリストを含み得る。たとえば、メニューは、購入に応じられるメニュー項目の一覧を含む、レストランのメニューを含み得るが、特許請求する主題は、この点について限定されない。そのような情報は、ユーザが通信ネットワークを介してリアルタイムで取得することができ、たとえば、他のユーザによってより早い時間に投稿された、メニュー項目についての画像、レビュー、または意見を含み得る。スマートフォンなどのMDを使って、たとえば、ユーザは、1つまたは複数のメニュー項目を含むメニューの少なくとも一部分の画像をキャプチャすることができる。ユーザは、たとえば、通信ネットワークの一部(たとえば、データベース)に記憶された情報を検索するべき特定のメニュー項目を選択することができる。
【０００９】
1つの特定の例では、MDは、MDのディスプレイ内のカメラビューの画像にMDが情報を重ねることを可能にする拡張現実(AR)アプリケーションを備えることができる。カメラビューは、たとえば、カメラによってリアルタイムでキャプチャされているシーンを含む、ディスプレイデバイス上の画像を含めることができる。カメラビューまたはディスプレイの画像に示されるメニュー項目には、たとえば、メニュー項目の画像、値段設定、レビュー、レーティングなどのような注釈を重ねることができる。注釈は、画像、レビュー、レーティングなどを含み得る、インターネットサイトへのリンクも含み得る。一実装形態では、特定の値段設定は、その日または時刻に利用可能な特別サービス、印刷メニューには列挙されていない追加メニュー項目の価格、値引きなどを反映することができる。1つの特定の例では、MDのユーザの属性(たとえば、人口統計、誕生日、特別クラブへの帰属など)が、代替または差別的値段設定を提供するのに使われ得る。別の例では、ARを含むMDのカメラビューに示されるメニュー項目に、メニュー項目の人気を反映するレーティングで注釈をつけることができる。そのようなレーティングは、たとえば、経時的に受信された顧客の批評から決定することができる。
【００１０】
ある特定の実装形態では、物理的事業所(たとえば、着席形式のレストラン)などの関心ポイントが、少なくとも部分的には、ロケーションコンテキスト識別子(LCI)によって識別可能であり得る。したがって、レストラン(LCIで識別可能)にいるレストラン利用者は、たとえば、ワイヤレスネットワークサーバと通信することができるMDを使って、メニュー項目に関する情報を取得することができる。特定の一実装形態では、MDは、LCIをハンドルとして使ってワイヤレスネットワークサーバと通信することができるが、特許請求する主題はそのように限定されない。
【００１１】
さらに、MDは、カメラと、文字認識および/またはレストランメニューに示されるテキスト中の単語の解析を実施することが可能なソフトウェアとを含み得る。列挙されるメニュー項目に対するテキスト認識およびレストランを識別するLCIを利用して、MDは、たとえば、メニュー項目を記述する情報についての要求メッセージを、リモートサーバに送信することができる。
【００１２】
別の例示的実装形態では、カメラビューに示されるメニュー項目を選択すると、選択された項目に注釈が重ねられることになり得る。そのような注釈は、例のうちのほんのいくつかを挙げると、写真、メニュー項目の書込みレビューもしくは批評、または項目のオーディオレビューもしくは批評を含み得る。以前の顧客からのそのような注釈は、たとえば、ワイヤレスネットワークと通信することが可能なサーバ上に記憶することができる。1つの特定の例では、MDのカメラビューまたはディスプレイにおいて重ねられるメニュー項目の写真は、以前の顧客によって撮影され、サーバにアップロードされたものであってよい。一実装形態では、以前の顧客が、後で論じるように、メニュー項目の識別およびレストランまたは施設を一意に識別するLCIとともに、メッセージ(たとえば、写真、レビューなど)をリモートサーバに送信している場合がある。
【００１３】
特定の一実装形態では、事業所が、クーポンまたは値引きを提供する場合がある。たとえば、事業所が、コンテンツ(たとえば、メニューレビューやメニュー画像)を、その後の利用者に今後提示するために、現在の利用者から受信するのが困難である場合、事業所は、コンテンツを提供するためのクーポンまたは値引きを申し出ることによって、現在の利用者にインセンティブを与えることができる。当然ながら、クーポンまたは値引きは、任意の数の理由で提供されてよく、特許請求する主題は、この点について限定されない。別の実装形態では、事業所が、常連客プログラムへの会員権を与えることができる。顧客のプロファイルまたはロイヤルティ(たとえば、訪問頻度など)に基づいて、顧客は、事業所によって、一部のメニュー項目についての値引きを申し出られる場合がある。ロイヤル顧客には、たとえば、MDのカメラビューにおいて見られる、印刷メニューにおける元の価格の上に重ねられた新たなまたは修正された価格が与えられる場合がある。別の例では、MDのカメラビューに表示される元の価格は、顧客(たとえば、MDのユーザ)によって「削除」され、したがって値引きされた価格を明らかにすることができる。
【００１４】
ある実装形態では、メニュー項目に関する、ほんの数例を挙げると、レビュー、批評、または写真などの情報を受信するための方法は、MDのカメラビューに、メニューに列挙される1つまたは複数の項目のキャプチャされた画像を表示するステップを含み得る。そのような項目は、少なくとも部分的には、ロケーションによって識別可能であり得る事業所(たとえば、レストラン)における購入に応じられ得る。たとえば、レストランの一意および/または識別可能な特徴は、ほんの数例を挙げると、グローバル座標(たとえば、緯度/経度)、番地、市、郡、および/または州として表すことができる、レストランの地理的ロケーションを含み得る。一実装形態では、事業所のロケーションは、LCIによって表すことができる。1つまたは複数のメニュー項目のテキストから解析された単語または記号と、レストランのロケーションを表す情報とを含むメッセージは、たとえば、インターネットなどのネットワークにワイヤレスに送信され得る。そのような送信に応答して、ほんの数例を挙げると、メニュー項目のレビュー、批評、または写真を含む注釈が、MDのカメラビューに表示されてよい。他の例では、注釈は、メニュー項目の購入価格またはレーティング(たとえば、人気、味、魅力、健康にいいかどうかなど)を含み得る。注釈は、たとえば、MDのカメラビューに表示される1つまたは複数のメニュー項目のキャプチャされた画像の少なくとも一部分に重ねられてよい。
【００１５】
ある実装形態では、レビュー、批評、または写真などの情報を受信するための方法を実施するための装置が、カメラと、ロケーションによって特徴付けられ、かつ/または識別され得る事業所において購入に応じられる1つまたは複数のメニュー項目の画像をキャプチャおよび表示するためのディスプレイとを含むMDを含み得る。装置は、ワイヤレスネットワークに信号を送信するための送信機と、ワイヤレスネットワークから信号を受信するための受信機とをさらに備え得る。たとえば、送信信号は、1つもしくは複数のメニュー項目のテキストから解析された単語もしくは記号を含むメッセージおよび/またはメニュー項目を管理もしくは提供する事業所のロケーションを表す情報を表すことができる。受信メッセージは、1つまたは複数のメニュー項目のレビュー、批評、または写真を含み得る注釈を表すことができ、これらの注釈は続いて、MDのカメラビューに表示することができる。
【００１６】
別の実装形態では、メニュー項目に関する、ほんの数例を挙げると、レビュー、批評、または写真などの情報を受信するための方法は、事業所において購入に応じられる1つまたは複数のメニュー項目を列挙するメニューの少なくとも一部分の画像をキャプチャするステップを含み得る。そのような画像は、たとえば、MDの画像キャプチャデバイスによってキャプチャすることができ、キャプチャされた画像は、MDのカメラビューに表示することができる。表示されるメニューは、表示されるメニュー項目のうちの少なくとも1つを識別するためのプロセスにおいて解析され得るテキストを含み得る。特許請求する主題はそのように限定されないが、単語または記号は、MDのユーザインターフェースにおける、ユーザによるテキストの選択に応答して、テキストから解析することができる。一実装形態では、MDのプロセッサは、MDのロケーションおよび/または解析されたテキストを、顧客にあらかじめ提示されるメニュー項目のあらかじめキャプチャされた画像に関連付けることができる。別の実装形態では、リモートサーバにおけるプロセッサは、MDのロケーションおよび/または解析されたテキストを、顧客にあらかじめ提示されるメニュー項目のあらかじめキャプチャされた画像に関連付けることができる。たとえば、ある程度(たとえば、数分、数日、数週間、数か月、または数年)以前の顧客は、メニューのキャプチャされた画像に含まれるメニュー項目を受信し、メニュー項目の画像をキャプチャし、メニュー項目の画像(たとえば、レビューまたは批評を伴っている可能性もある)を、画像を記憶している可能性があるワイヤレスネットワークに投稿している場合がある。
【００１７】
ある特定の実装形態では、メニュー項目についての情報を受信するのに使われるMDは、少なくとも部分的にはLCIによって識別可能な事業所にある場合がある。MDのロケーションおよび解析されたテキストを、あらかじめキャプチャされた画像に関連付けるプロセスは、解析されたテキストおよびLCIを、たとえば、リモートサーバなどのワイヤレスネットワークに送信することを含み得る。あらかじめキャプチャされた画像は、解析されたテキストおよびLCIの送信に応答して受信され得る。別の特定の実装形態では、メニュー項目の以前の購入者によって提供されたオーディオコンテンツが、解析されたテキストおよびLCIの送信に応答して受信され得る。
【００１８】
ある実装形態では、レビュー、批評、または写真などの情報を受信するための方法を実施するための装置は、1つまたは複数の項目を列挙するメニューの少なくとも一部分の画像をキャプチャするための、MDのカメラを含み得る。MDは、ビューファインダーまたはメニューの少なくとも一部分の画像を表示するためのディスプレイデバイスを含み得る。MDは、表示画像に表示されるメニューのテキストの選択を受信するための、たとえば、カメラビューに重ねられたタッチスクリーンを含み得るユーザインターフェースをさらに備え得る。MDは、テキストの選択に応答して、選択されたテキストを解析するため、および少なくとも1つのメニュー項目を識別するために、プロセッサによって実行されるべき1つまたは複数のアプリケーションを含み得る。そのようなプロセッサは、MDのロケーションを、たとえば、上述したように、以前の顧客に提示された通りに、メニュー項目のあらかじめキャプチャされた画像に関連付けることが可能であり得る。装置は、たとえば、解析されたテキストおよび事業所のLCIをリモートサーバに送信するための送信機と、解析されたテキストおよびLCIの送信に応答して、あらかじめキャプチャされた画像を受信するための受信機とをさらに備え得る。
【００１９】
別の実装形態では、メニュー項目に関する、ほんの数例を挙げると、レビュー、批評、または写真などの情報を受信するための方法は、顧客に提示される、サーブされるレストランメニュー項目のキャプチャされた画像を受信するステップと、MDのロケーションに少なくとも部分的に基づいて、受信画像をLCIでタグ付けするステップとを含み得る。たとえば、ロケーションは、少なくとも部分的にはLCIによって識別可能な事業所のロケーションを含み得る。タグ付けされた画像は、少なくとも部分的には、LCIおよび/またはメニュー項目の識別を使ってアクセス可能になるように、サーバに送信され得る。キャプチャされた画像には、MDのユーザインターフェースにおいて受信されたテキストおよび/またはオーディオコンテンツで注釈をつけることができる。ある特定の実装形態では、MDのカメラビューは、後で説明するように、メニューに列挙される少なくとも1つの項目の画像および/または批評をアップロードするためのクーポンインセンティブを示し得る。
【００２０】
図1は、MD104を伴う通信経路からなるシステム100を示す概略図である。MDは、レストランメニューやその一部分などの画像をキャプチャするための画像キャプチャデバイス(図示せず)を含み得る。MD104は、ディスプレイ102、キーパッドもしくはユーザから情報を受信するための他のデバイス(図示せず)、および/またはアンテナ103も含み得る。そのような画像キャプチャデバイス(たとえば、カメラ)は、ディスプレイ102においてビューファインダー画像および/またはキャプチャされた画像を表示し得る。MD104は、以下でより詳細に説明するように、1つまたは複数のアプリケーションに対応する専用プロセッサ(たとえば、図8の特定の実装形態に示すように)を含むことができる。MD104は、たとえばタッチスクリーンを含み得る、キーパッドおよび/またはディスプレイ102などの1つまたは複数のユーザインターフェースを含み得る。アンテナ103は、たとえば、以下で説明するように、衛星ビークル(SV)106から、および/または基地局108へ/からなど、様々な信号を送信および/または受信するためにMD104によって使用される送信機/受信機の一部分を含み得る。特定の例示的アプリケーションでは、MD104は、キャプチャされた画像が、たとえば、後で図2〜図4に示すようなメニューの少なくとも一部分を含むように、対象とされ、または目標とされ得る。もちろん、MDのそのような詳細は例にすぎず、特許請求する主題はそのように限定されない。
【００２１】
MDは、たとえば、レストランなどの事業所105にある場合がある。事業所および/またはMD104のロケーションは、いくつかの技法のうちのいずれによっても判断することができる。たとえば、MD104のロケーション、ユーザによってMDに提供可能であり、かつ/またはいくつかの利用可能な測位技法のうちのいずれか1つを使用して判断可能である。そのような測位技法のリストは、ほんの数例を挙げると、衛星測位システム(SPS)、パーソナルエリアネットワーク(PAN)、ローカルエリアネットワーク(LAN)、ワイドエリアネットワーク(WAN)、Ultra-wideband(UWB)、AFLT、デジタルTV、ワイヤレスリピータ、RFID、無線測位ビーコン、セルタワーID、および/またはBluetoothを含み得る。いくつかの測位技法は、他の測位技法に比較してより正確でない位置情報を提供することがある。たとえば、より正確でない位置情報は、MD104のロケーションを、建築物、街区、州などの比較的大きいエリア内のみに特定し得る。そうであっても、後で説明するように、MD104は、そのような情報を使って、レストランにあるMDの比較的正確なロケーションを一意に判断することができるワイヤレスネットワークに、レストランメニュー情報を送信することができる。もちろん、位置情報を取得するそのような詳細は例にすぎず、特許請求する主題はそのように限定されない。
【００２２】
MD104は、衛星ナビゲーション信号110を受信すること、および基地局108へ/からワイヤレス通信信号112を送信/受信することが可能な様々なモバイル受信機のいずれか1つを含み得る。信号110は、たとえば、SV106などの基準局、および/または地上ビーコンもしくは基地局108のような地上ロケーションから送信され得る。MD104は、ほんの数例を挙げると、モバイルフォン、スマートフォン、ハンドヘルドナビゲーション受信機、および/または携帯情報端末(PDA)を含み得る。上述のように、MD104はいくつかの技法のうちのいずれかを用いて、その位置を計算することができる。特定の一実装形態では、そのような測位技法は、それぞれ衛星106および/または地上の基地局108から受信するワイヤレス信号110および/またはワイヤレス信号112に少なくとも部分的に基づいてよい。いくつかの実装形態では、MD104は、音声および/またはデータの通信のためにSPS受信機とワイヤレス通信デバイスの両方を統合することができる。したがって、SPSシステムの具体例について本明細書で説明することもあるが、そのような原理および技法は、他の衛星測位システムまたは地上測位システム、たとえばワイヤレスネットワークに適用可能である。
【００２３】
システム100は、リモートおよび/またはワイヤレスネットワークなどのネットワーク130をさらに備え得る。ネットワーク130は、たとえば、インターネット、WANまたはLANを含み得る。ネットワーク130は、たとえば、コンピューティングシステムおよびメモリを備え得るサーバ140を含み得る。MD104は、たとえば、陸上ビーコンまたは基地局108へ/からの信号112および115を介してサーバ140と通信することができる。もちろん、システム100のそのような詳細は例にすぎず、特許請求する主題はそのように限定されない。
【００２４】
図2は、ある実装形態200による、選択されたメニュー項目230を含むメニュー250の一部分を示す。メニュー250は、MD210によってキャプチャされ、スクリーン220(たとえば、MD210のディスプレイまたはビューファインダー)に表示される画像を含み得る。メニュー250は、メニューの一部分を含み得る。たとえば、メニュー250の表示される部分は、約6つのメニュー項目を示しているが、より多くの項目がフルメニューに含まれてもよい。ユーザは、メニュー250の表示される部分に含まれる1つまたは複数のメニュー項目を選択することができる。たとえば、スクリーン220がタッチスクリーンを含む場合、ユーザは、メニュー項目230を表示するスクリーン220の少なくとも一部分にタッチすることによって、メニュー項目230を選択することができる。別の技法を使って、ユーザは、たとえば、メニュー項目230へのカーソルまたは他のポインティングデバイスを調整することによってメニュー項目230を選択することができる。もちろん、特許請求する主題は、この点について限定されない。
【００２５】
図3は、実装形態300による、選択されたメニュー項目230の画像340を含むメニュー250の一部分を示す。画像340は、スクリーン220の一部分に重ねられた注釈を含み得る。画像340は、ユーザによって過去にキャプチャされた画像を記憶するリモートネットワークからワイヤレスに受信された画像を含み得る。MD210は、たとえば、図1に示すように、陸上ビーコンまたは基地局108を介して、画像340を表す信号を受信することができる。MD210は、そのような信号を、たとえば、後で説明するように、選択されたメニュー項目230に関する情報をMD210が送信したことに応答して受信することができる。注釈は、たとえば、テキストおよび/またはオーディオコンテンツなど、画像340以外のコンテンツを含み得る。
【００２６】
図4は、実装形態400による、メニュー項目についてのレーティング430を含むメニュー450の一部分を示す。メニュー450は、MD410によってキャプチャされ、スクリーン420(たとえば、MD410のディスプレイまたはビューファインダー)に表示される画像を含み得る。メニュー450は、メニューの一部分を含み得る。たとえば、メニュー450の表示される部分は、約6つのメニュー項目を示しているが、より多くの項目がフルメニューに含まれてもよい。スクリーン420は、表示されるメニュー450の一部分に重ねられたレーティング430を表示することができる。レーティング430は、個々のメニュー項目のレーティングを表すためのアイコンまたは記号を含み得る。たとえば、メニュー項目455は、5つの「星」のレーティングに関連付けられ、メニュー項目453は、3つの「星」のレーティングに関連付けられる。したがって、この例では、メニュー項目455は、時間経過とともに、メニュー項目453のレビューよりも好意的なレビューを受けている。レーティング430は、たとえば、経時的にメニュー項目レビューを投稿した数人のユーザによって形成されたレーティング情報を記憶するリモートネットワークからワイヤレスに受信することができる。MD410は、たとえば、図1に示すように、陸上ビーコンまたは基地局108を介して、レーティング430を表す信号を受信することができる。MD410は、そのような信号を、たとえば、後で説明するように、メニュー450および/またはメニューを管理するレストランのロケーションに関する情報をMD410が送信したことに応答して受信することができる。
【００２７】
図5は、ある実装形態による、メニュー項目の注釈を表示するためのプロセス500を示す流れ図である。たとえば、そのような注釈は、メニュー項目を関する、ほんの数例を挙げると、レビュー、批評、または写真を含み得る。ブロック510で、メニューに列挙される1つまたは複数の項目のキャプチャされた画像が、MDのカメラビューに表示され得る。そのような項目は、たとえば、少なくとも部分的にはロケーションによって識別可能であり得るレストランなどの関心ポイントにおける購入に応じることができる。たとえば、レストランの一意および/または識別可能な特徴は、ほんの数例を挙げると、グローバル座標(たとえば、緯度/経度)、番地、市、郡、および/または州として表すことができる、レストランの地理的ロケーションを含み得る。一実装形態では、事業所のロケーションは、LCIによって表すことができる。ブロック520で、1つまたは複数のメニュー項目のテキストから解析された単語または記号と、レストランのロケーションを表す情報とを含むメッセージが、たとえば、インターネットなどのネットワークにワイヤレスに送信され得る。ブロック530で、そのような送信に応答して、注釈を表す情報を受信することができる。もちろん、プロセス500のそのような詳細は例にすぎず、特許請求する主題はそのように限定されない。
【００２８】
図6は、特定の実装形態による、メニュー項目の画像を表示するためのプロセス600を示す流れ図である。プロセス600は、たとえば、レストランにあるMDによって実施することができる。ある例では、レストランは、メニュー項目の画像なしで、いくつかのメニュー項目を列挙するメニューを提供する場合がある。レストランで食事しているユーザは、MDを操作して、選択されたメニュー項目の画像を検索するためのプロセス600を実施することができる。他の実装形態では、ごく数例を挙げると、メニュー項目の書込みレビューもしくは批評などの注釈、または項目のオーディオレビューもしくは批評を同様に検索することができ、特許請求する主題は、この点について限定されない。
【００２９】
ブロック610で、ユーザは、MDを操作して、ユーザの関心項目を含むメニューの少なくとも一部分の画像をキャプチャすることができる。MDのディスプレイは、たとえば、メニューの所望の部分をキャプチャするためのMDを、ユーザに選択的に目標とさせるカメラビューディスプレイを備え得る。ブロック620で、MDは、キャプチャされた画像を表示することができる。たとえば、図2に戻ると、メニュー部分250を、スクリーン220に表示することができる。ブロック630で、MDは、表示されるキャプチャされた画像中の複数のメニュー項目の中から選択することができる、ユーザのメニュー項目選択を表す信号を受信することができる。当然ながら、選択されたメニュー項目は、単一の表示メニュー項目を含んでよく、特許請求する主題は、この点について限定されない。上述したように、MDがタッチスクリーンを備える場合、ユーザは、表示されるメニュー項目の一部分にタッチすることによって、特定のメニュー項目を選択することができる。そうでない場合は、カーソルまたは他のポインティングおよび/または選択デバイスを使って、特定のメニュー項目を選択することができる。他の実装形態では、複数のメニュー項目を選択することができ、特許請求する主題は、この点について限定されない。
【００３０】
ブロック640で、テキストを含む、ユーザの選択したメニュー項目は、テキストを分析してメニュー項目を識別するプロセスにおいて解析することができる。たとえば、そのようなプロセスは、文字および/またはテキスト認識を伴い得る。
【００３１】
ブロック650で、MDは、たとえば、図1に示すサーバ140などのリモートサーバと通信して、選択されたメニュー項目の画像の検索を試みることができる。たとえば、MDは、解析されたテキストおよびLCIをワイヤレスネットワークに送信すればよい。MDは、解析されたテキストおよびLCIの送信に応答して、ネットワークから、あらかじめキャプチャされた画像(または、たとえばレビューもしくは批評)を受信することができる。ブロック660で、ネットワークから受信された画像は、少なくとも部分的には、選択されたメニュー項目のテキストの上、隣、または近くに表示されてよい。もちろん、プロセス600のそのような詳細は例にすぎず、特許請求する主題はそのように限定されない。
【００３２】
図7は、ある実装形態による、メニュー項目についての情報を収集し、または選択されたメニュー項目の画像を提供するためのプロセス700を示す流れ図である。プロセス700は、たとえば、図1に示すサーバ140などのサーバによって実施することができる。上で説明したように、サーバは、MDのロケーションおよび/またはメニュー情報(たとえば、ほんの数例を挙げると、解析されたメニューテキストもしくはメニュー画像)に関する情報を提供することができるMDとワイヤレスに通信することができる。ブロック710で、たとえば、サーバは、MDのロケーション情報を受信することができ、その際、MDがあるレストランのロケーションおよび/または識別を受信することもできる。一実装形態では、MDは、LCIを、サーバと通信するためのハンドルとして使ってよい。そのようなケースでは、LCIは、MDがあるレストランのロケーションおよび/または識別を判断するのに使うことができる。別の実装形態では、MDは、その位置を、SPSを使って判断し、この位置情報をサーバに送信することができる。MDのロケーション情報の受信に加え、サーバは、上述したように、メニュー情報も受信することができる。
【００３３】
ブロック720で、たとえば、サーバの所のプロセッサが、レストランロケーション情報および/またはメニュー情報を使って、メモリ(たとえば、データベース)から、記憶された情報を検索することによって画像サーチの準備をすることができる。たとえば、特定のレストランロケーションを知っていることにより、いくつかの候補画像を、その特定のロケーション(たとえば、少なくとも部分的にはLCIによって識別可能な特定のロケーション)に関連付けられたものにのみ削減することによって、画像サーチを限定することができる。一実装形態では、記憶された画像は、記憶された画像に関する情報(たとえば、メタデータ)を含み得る。たとえば、記憶された画像は、ほんの数例を挙げると、対応するメニュー項目、レストラン、画像がキャプチャされた日付および/または時間、対応するレビュー、レーティング、可能レビューまたはレーティングの記憶ロケーションが存在するかどうかに関する情報を含み得る。
【００３４】
ブロック730で、選択されたメニュー項目の画像のサーチを実施することができる。ひし形740で、選択されたメニュー項目に対応する画像が見つかったかどうかに関する判断を行うことができる。見つかった場合、プロセス700はブロック750に進んでよく、ここで、見つかった画像が、ユーザに表示するためにMDに送信され得る。一方、画像が見つからない場合、プロセス700はブロック760に進んでよく、ここで、インセンティブプログラムを実施することができる。たとえば、特定の一実装形態では、事業所が、現在の利用者から、その後の利用者に今後提示するために、コンテンツを受信するのが困難である場合、たとえば、コンテンツを提供するためのクーポンまたは値引きを申し出ることによって、現在の利用者にインセンティブを与えればよい。したがって、ブロック760で、クーポンまたは他のインセンティブ(たとえば、ポイント還元)をMDに送信することができる。ブロック770で、ユーザは、そのようなインセンティブに、たとえば、サーバによって受信されるべき、MDを介したメニュー項目の画像を送信することによって応答することができる。もちろん、プロセス700のそのような詳細は例にすぎず、特許請求する主題はそのように限定されない。
【００３５】
図8は、一実装形態による、ワイヤレスネットワークと通信することとが可能なデバイスの概略図である。そのようなデバイスは画像キャプチャデバイスを含み得る。特定の一実装形態では、図1に示すMD104のようなMDは、疑似距離測定値を決定し、アンテナ810を通じてワイヤレス通信ネットワークと通信するために、アンテナ814で受信したSPS信号を処理することが可能なデバイス800を含むことができる。ここで、無線トランシーバ806は、データ、音声および/またはSMSメッセージなどのベースバンド情報を有するRF搬送波信号をRF搬送波に変調し、変調されたRF搬送波を復調してそのようなベースバンド情報を取得するように適合され得る。アンテナ810は、ワイヤレス通信リンクを介して変調されたRF搬送波を送信し、ワイヤレス通信リンクを介して変調されたRF搬送波を受信するように適合され得る。
【００３６】
ベースバンドプロセッサ808は、中央処理装置(CPU)802からのベースバンド情報を、ワイヤレス通信リンクでの送信用にトランシーバ806に提供するように適合され得る。チャネルデコーダ820は、ベースバンドプロセッサ808から受信したチャネルシンボルを下位ソースビット(underlying source bits)に復号するように適合され得る。
【００３７】
SPS受信機(SPS Rx)812は、SVからの送信を受信および処理し、処理された情報を相関器818に提供するように適合され得る。相関器818は、受信機812によって提供された情報から相関関数を導出するように適合され得る。相関器818はまた、トランシーバ806によって供給された、パイロット信号に関係する情報からパイロット関連相関関数を導出するように適合され得る。この情報は、MD104などのデバイスによって、ワイヤレス通信ネットワーク内で情報を捕捉するのに使うことができる。
【００３８】
メモリ804は、説明または推奨してきた1つまたは複数プロセス、実装形態またはその例を行うために実行可能な機械可読命令を記憶するように適合され得る。専用プロセッサを含み得るCPU802は、そのような機械可読命令にアクセスし、それらを実行するように適合され得る。しかしながら、これらは特定の態様においてCPUによって実施され得るタスクの例にすぎず、特許請求する主題はこれらの点について限定されない。さらに、メモリ804は、1つまたは複数の所定の候補軌道を記憶するように適合可能で、CPU802は、推定軌道と1つまたは複数の所定の候補軌道との比較に少なくとも部分的に基づき、デバイス800のロケーションを判断するように適合可能である。特定の一実装形態では、CPU802は、ES位置情報に少なくとも部分的に基づき、1つまたは複数の所定の候補軌道の数を減らすように適合され得る。
【００３９】
一実装形態では、記憶媒体に記憶された機械可読命令が、専用コンピューティングデバイス(たとえば、CPU802)によって実行されたことに応答して、専用コンピューティングデバイスが、事業所における購入に応じられるメニュー項目を列挙するメニューの画像をキャプチャする画像キャプチャデバイス880からの信号を処理し、メニューのキャプチャされた画像をディスプレイデバイス885に表示するように信号を処理し、ローカルインターフェース816におけるテキストの選択に応答して、表示画像中に表示されるテキストを解析して、表示されるメニュー項目のうちの少なくとも1つのメニュー項目を識別し、MDのロケーションおよび解析されたテキストを、顧客に提示されるメニュー項目のあらかじめキャプチャされた画像に関連付けることを可能にするように適合され得る。別の実装形態では、MDは、RF信号を受信するための受信機812と、RF信号を送信するための送信機806と、顧客に提示される、サーブされるレストランメニュー項目の画像をキャプチャするための画像キャプチャデバイス880と、MDのロケーションに少なくとも部分的に基づいて、画像にLCIでタグ付けするように、RF環境において動作するためのCPU802とを備え得る。
【００４０】
一実装形態では、画像キャプチャデバイス880は、たとえば光センサ、集光素子(focusing optics)、ビューファインダー、ならびに/もしくはCPU802およびメモリ804と通信するインターフェースエレクトロニクス(interfacing electronics)の電荷結合デバイス(CCD)配列ならびに/またはCMOS配列を含むカメラを含むことができる。ディスプレイデバイス885は、液晶ディスプレイ(LCD)を含むことができ、これはいくつかの実装形態では、ユーザ対話の手段を提供する接触反応型であり得る。ディスプレイデバイス885は、画像キャプチャデバイス880のビューファインダーとして動作することができるが、特許請求する主題はそのように限定されない。記憶された画像が、上記で説明したように、選択されたターゲットオブジェクトとして検索され得るように、画像はメモリ804に記憶され得る。
【００４１】
本明細書で説明する方法は、用途に応じ特定の特徴および/または例に従って様々な手段によって実装され得る。たとえば、そのような方法は、ハードウェア、ファームウェア、ソフトウェア、および/またはそれらの組合せで実装され得る。たとえばハードウェア実装では、処理ユニットは、1つもしくは複数の特定用途向け集積回路(ASIC)、デジタル信号プロセッサ(DSP)、デジタル信号処理デバイス(DSPD)、プログラマブル論理デバイス(PLD)、フィールドプログラマブルゲートアレイ(FPGA)、プロセッサ、コントローラ、マイクロコントローラ、マイクロプロセッサ、電子デバイス、本明細書で説明する機能を実施するように設計された他のデバイスユニット、および/またはそれらの組合せの中で実装可能である。
【００４２】
ファームウェアおよび/またはソフトウェア実装の場合、方法は、本明細書で説明する機能を実施するモジュール(たとえば、プロシージャ、関数など)を用いて実装され得る。本明細書で説明する方法を実装する際に、命令を有形に具現化する任意の機械可読媒体が使用され得る。たとえば、ソフトウェアコードは、メモリ、たとえば移動局のメモリに記憶され、プロセッサによって実行され得る。メモリは、プロセッサの内部またはプロセッサの外部に実装され得る。本明細書で使用する「メモリ」という用語は、長期メモリ、短期メモリ、揮発性メモリ、不揮発性メモリ、または他のメモリのいずれかのタイプを指し、メモリの特定のタイプまたはメモリの数、あるいはメモリが記憶される媒体のタイプに限定されない。
【００４３】
ワイヤレス端末のような実体は、ネットワークと通信してデータなどのリソースを要求することができる。セルラー電話、スマートフォン、携帯情報端末(PDA)、またはワイヤレスコンピュータを含むMDは、そのような実体のほんの数例である。そのような実体の通信は、ネットワークデータへのアクセスを含むことがあり、これは通信ネットワーク、回路または他のシステムハードウェアのリソースに負担をかけ(tax)得る。ワイヤレス通信ネットワークでは、ネットワークで動作する実体間でデータを要求し交換することができる。たとえば、MDは、ワイヤレス通信ネットワーク内で動作するMDの位置を判断するためにネットワークにデータを要求することができ、ネットワークから受信したデータは、そのような位置判断にとって有益であるか、場合によっては望ましいこともある。しかしながら、これらは特定の態様におけるMDとネットワークとの間のデータ交換の例にすぎず、特許請求する主題はこれらの点について限定されない。
【００４４】
例示的な特徴であると現在考えられることが、例示され説明されてきたが、特許請求される主題から逸脱することなく、様々な他の修正を行うことができ、等価物が置換され得ることが、当業者には理解されよう。加えて、特許請求される主題の教示に個別の状況を適合させるために、本明細書で説明される中心的な概念から逸脱することなく、多くの修正が行われ得る。したがって、特許請求する主題は、開示される特定の例に限定されず、また、そのような特許請求する主題は添付の特許請求の範囲内にあるすべての態様およびその同等物を含み得ることが意図されている。
【符号の説明】
【００４５】
100  システム
102  ディスプレイ
103  アンテナ
104  MD
105  事業所
106  衛星ビークル(SV)、衛星
108  基地局
110  衛星ナビゲーション信号、信号、ワイヤレス信号
112  ワイヤレス通信信号、ワイヤレス信号
115  信号
130  ネットワーク
140  サーバ
210  MD
220  スクリーン
230  メニュー項目
250  メニュー
340  画像
410  MD
420  スクリーン
430  レーティング
450  メニュー
453  メニュー項目
455  メニュー項目
800  デバイス
802  中央処理装置(CPU)
804  メモリ
806  無線トランシーバ、トランシーバ、送信機
808  ベースバンドプロセッサ
810  アンテナ
812  SPS受信機(SPS Rx)、受信機
814  アンテナ
816  ローカルインターフェース
818  相関器
820  チャネルデコーダ
880  画像キャプチャデバイス
885  ディスプレイデバイス
【図１】
2014529249.tif 000003
【図２】
2014529249.tif 000004
【図３】
2014529249.tif 000005
【図４】
2014529249.tif 000006
【図５】
2014529249.tif 000007
【図６】
2014529249.tif 000008
【図７】
2014529249.tif 000009
【図８】
2014529249.tif 000010
【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
ロケーションコンテキスト識別子(LCI)に関連付けられた情報に少なくとも部分的に基づいて判断されたロケーションによって少なくとも部分的に識別可能な関心ポイントにおける選択に応じられる項目メニューに列挙される1つまたは複数の項目のキャプチャされた画像を、モバイルデバイスのカメラビューに表示するステップと、
前記1つまたは複数の項目の解析されたテキストおよび前記ロケーションを表す情報を含むメッセージを送信するステップと、
前記メッセージの前記送信に応答して、前記カメラビューに表示されるべき注釈を受信するステップとを含む方法。
【請求項２】
前記注釈が前記1つまたは複数の項目の購入価格を含む、請求項1に記載の方法。
【請求項３】
前記注釈が前記1つまたは複数の項目のレーティングを含む、請求項1に記載の方法。
【請求項４】
前記注釈が前記1つまたは複数の項目の1つまたは複数の画像を含む、請求項1に記載の方法。
【請求項５】
前記注釈が、前記1つまたは複数の項目の前記キャプチャされた画像を含む前記カメラビューの一部分に重ねられる、請求項1に記載の方法。
【請求項６】
前記関心ポイントがレストランを含む、請求項1に記載の方法。
【請求項７】
ロケーションコンテキスト識別子(LCI)に関連付けられた情報に少なくとも部分的に基づいて判断されたロケーションによって少なくとも部分的に識別可能な関心ポイントにおける選択に応じられる項目メニューに列挙される1つまたは複数の項目のキャプチャされた画像を、モバイルデバイスのカメラビューに表示するための手段と、
前記1つまたは複数の項目の解析されたテキストおよび前記ロケーションを表す情報を含むメッセージを送信するための手段と、
前記メッセージの前記送信に応答して、前記カメラビューに表示されるべき注釈を受信するための手段とを備える装置。
【請求項８】
前記注釈が前記1つまたは複数の項目の購入価格を含む、請求項7に記載の装置。
【請求項９】
前記注釈が前記1つまたは複数の項目のレーティングを含む、請求項7に記載の装置。
【請求項１０】
前記注釈が、前記1つまたは複数の項目の前記キャプチャされた画像を含む前記カメラビューの一部分に重ねられる、請求項7に記載の装置。
【請求項１１】
前記関心ポイントがレストランを含む、請求項7に記載の装置。
【請求項１２】
ロケーションコンテキスト識別子(LCI)に関連付けられた情報に少なくとも部分的に基づいて判断されたロケーションによって少なくとも部分的に識別可能な関心ポイントにおける選択に応じられる項目メニューに列挙される1つまたは複数の項目のキャプチャされた画像のカメラビューを、ディスプレイデバイスに提供するように構成されたプロセッサと、
前記1つまたは複数の項目の解析されたテキストおよび前記ロケーションを表す情報を含むメッセージを送信するように構成された送信機と、
前記メッセージの前記送信に応答して、前記カメラビューに表示されるべき注釈を受信するように構成された受信機とを備える装置。
【請求項１３】
前記注釈が前記1つまたは複数の項目の購入価格を含む、請求項12に記載の装置。
【請求項１４】
前記注釈が前記1つまたは複数の項目のレーティングを含む、請求項12に記載の装置。
【請求項１５】
前記注釈が前記1つまたは複数の項目の1つまたは複数の画像を含む、請求項12に記載の装置。
【請求項１６】
前記注釈が、前記1つまたは複数の項目の前記キャプチャされた画像を含む前記カメラビューの一部分に重ねられる、請求項12に記載の装置。
【請求項１７】
前記関心ポイントがレストランを含む、請求項12に記載の装置。
【請求項１８】
モバイルデバイスのカメラにおいて、関心ポイントにおける選択に応じられるメニュー項目を列挙するメニューの画像をキャプチャするステップと、
前記メニューの前記キャプチャされた画像を、前記モバイルデバイスのディスプレイデバイスに表示するステップと、
前記表示画像中のテキストを解析して、前記表示されるメニュー項目のうちの少なくとも1つのメニュー項目を識別するステップと、
前記モバイルデバイスのロケーションおよび前記解析されたテキストを、顧客に提示される前記メニュー項目のあらかじめキャプチャされた画像に関連付けるステップとを含む方法。
【請求項１９】
前記モバイルデバイスの前記ロケーションが、少なくとも部分的にはロケーションコンテキスト識別子(LCI)によって識別可能な前記関心ポイントにあり、前記モバイルデバイスの前記ロケーションおよび前記解析されたテキストを、前記あらかじめキャプチャされた画像に関連付ける前記ステップが、
前記解析されたテキストおよび前記LCIをリモートサーバに送信するステップと、
前記解析されたテキストおよび前記LCIを送信する前記ステップに応答して、前記あらかじめキャプチャされた画像を受信するステップとをさらに含む、請求項18に記載の方法。
【請求項２０】
前記解析されたテキストおよび前記LCIを送信する前記ステップに応答して、前記メニュー項目の以前の購入者によって提供されるオーディオコンテンツを受信するステップをさらに含む、請求項19に記載の方法。
【請求項２１】
テキストを解析する前記ステップが、前記モバイルデバイスのユーザインターフェースにおける前記テキストの選択に応答する、請求項18に記載の方法。
【請求項２２】
前記関心ポイントがレストランを含む、請求項18に記載の方法。
【請求項２３】
前記少なくとも1つのメニュー項目の修正価格を前記モバイルデバイスの前記ディスプレイデバイスに表示するステップをさらに含む、請求項18に記載の方法。
【請求項２４】
前記修正価格が、前記メニューの前記画像上の元の価格に重ねられる、請求項23に記載の方法。
【請求項２５】
前記修正価格が、前記顧客のプロファイルおよび/またはロイヤルティに少なくとも部分的に基づく、請求項23に記載の方法。
【請求項２６】
モバイルデバイスのカメラにおいて、関心ポイントにおける選択に応じられるメニュー項目を列挙するメニューの画像をキャプチャするための手段と、
前記メニューの前記キャプチャされた画像を、前記モバイルデバイスのディスプレイデバイスに表示するための手段と、
前記表示画像中のテキストを解析して、前記表示されるメニュー項目のうちの少なくとも1つのメニュー項目を識別するための手段と、
前記モバイルデバイスのロケーションおよび前記解析されたテキストを、顧客に提示される前記メニュー項目のあらかじめキャプチャされた画像に関連付けるための手段とを備える装置。
【請求項２７】
前記モバイルデバイスの前記ロケーションが、少なくとも部分的にはロケーションコンテキスト識別子(LCI)によって識別可能な前記関心ポイントにあり、前記モバイルデバイスの前記ロケーションおよび前記解析されたテキストを、前記あらかじめキャプチャされた画像に関連付けるための前記手段が、
前記解析されたテキストおよび前記LCIをリモートサーバに送信するための手段と、
前記解析されたテキストおよび前記LCIの送信に応答して、前記あらかじめキャプチャされた画像を受信するための手段とをさらに含む、請求項26に記載の装置。
【請求項２８】
前記解析されたテキストおよび前記LCIの送信に応答して、前記メニュー項目の以前の購入者によって提供されたオーディオコンテンツを受信するための手段をさらに含む、請求項27に記載の装置。
【請求項２９】
テキストを解析するための前記手段が、前記モバイルデバイスのユーザインターフェースにおける前記テキストの選択に応答する、請求項26に記載の装置。
【請求項３０】
前記関心ポイントがレストランを含む、請求項26に記載の装置。
【請求項３１】
メニューのキャプチャされた画像を表示するように構成された、モバイルデバイスのディスプレイと、
前記メニューの前記表示画像に表示されるテキストの選択を受信するように構成されたユーザインターフェースと、
前記テキストの前記選択に応答して、前記テキストを解析して、前記メニューの少なくとも1つのメニュー項目を識別するように構成されたプロセッサであって、前記モバイルデバイスのロケーションおよび前記解析されたテキストを、顧客に提示される前記メニュー項目のあらかじめキャプチャされた画像に関連付けることが可能なプロセッサとを備える装置。
【請求項３２】
前記解析されたテキストおよび事業所のロケーションコンテキスト識別子(LCI)をリモートサーバに送信するための送信機と、
前記解析されたテキストおよび前記LCIの送信に応答して、前記あらかじめキャプチャされた画像を受信するための受信機とをさらに備える、請求項31に記載の装置。
【請求項３３】
前記受信機が、前記解析されたテキストおよび前記LCIの前記送信に応答して、前記メニュー項目の以前の購入者によって提供されたオーディオコンテンツを受信することが可能である、請求項32に記載の装置。
【請求項３４】
非一時的記憶媒体であって、前記非一時的記憶媒体が、
メニュー項目が選択に応じられるロケーションにおいて選択に応じられるメニュー項目の一覧を含む、カメラからの画像の信号を処理し、
前記キャプチャされた画像をモバイルデバイスのディスプレイデバイスに表示するように信号を処理し、
前記表示画像中のテキストを解析して、前記表示されるメニュー項目のうちの少なくとも1つのメニュー項目を識別し、
前記ロケーションおよび前記解析されたテキストを、顧客に提示される前記メニュー項目のあらかじめキャプチャされた画像に関連付けるように構成された専用コンピューティングデバイスによって実行可能である機械可読命令を記憶する、非一時的記憶媒体。
【請求項３５】
前記ロケーションが、少なくとも部分的にはロケーションコンテキスト識別子(LCI)によって識別可能な事業所にある、請求項34に記載の非一時的記憶媒体。
【請求項３６】
前記非一時的記憶媒体が、
前記解析されたテキストおよびロケーションコンテキスト識別子(LCI)をリモートサーバに送信し、
前記解析されたテキストおよび前記LCIの送信に応答して、前記あらかじめキャプチャされた画像を受信するようにさらに構成された前記専用コンピューティングデバイスによって実行可能である前記機械可読命令を記憶する、請求項34に記載の非一時的記憶媒体。
【請求項３７】
非一時的記憶媒体であって、前記非一時的記憶媒体が、
ロケーションコンテキスト識別子(LCI)に関連付けられた情報に少なくとも部分的に基づいて判断されたロケーションによって少なくとも部分的に識別可能な関心ポイントにおける選択に応じられる項目メニューに列挙される1つまたは複数の項目のキャプチャされた画像を、モバイルデバイスのカメラビューに表示し、
前記1つまたは複数の項目の解析されたテキストおよび前記ロケーションを表す情報を含むメッセージを送信し、
前記メッセージの前記送信に応答して、前記カメラビューに表示されるべき注釈を受信するように構成された専用コンピューティングデバイスによって実行可能である機械可読命令を記憶する、非一時的記憶媒体。
【国際調査報告】
2014529249.tif 000011
2014529249.tif 000012
2014529249.tif 000013
2014529249.tif 000014
2014529249.tif 000015